(57)【要約】      （修正有）【課題】屋根上面へ簡便且つ安全な脱着自在を可能なさしめ、宣伝広告と情報提供を行わしめるタクシーの広告表示器。【解決手段】横長に形成した長方形箱体を支持する支持基台を、支持基板２ａと取付け基板２ｂで構成し、取付け基板は支持基板の左右各側端付近箇所に対し、これと直交状態に設けると共に各取付け基板の前端と後端の下面側には一定肉厚寸法の磁石３を取付けたものとなし、タクシーの屋根上面を上方に向かって一定の間隙下で車巾間を跨ぐ状態で脱着自在に止着させる。而して、長方形箱体の前面側内部には電光掲示板１０を内蔵させたものとなし、「迎車」「空車」「脅迫されています。助けてください」等の防犯掲示、その他の簡単な宣伝、広告などが表示される。【選択図】      図２
2004333787.tif 000002
【特許請求の範囲】
【請求項１】
横長に形成した長方形箱体を支持する支持基台を、支持基板と取付け基板で構成し、取付け基板は支持基板の左右各側端付近箇所に対し、これと直交状態に設けると共に各取付け基板の前端と後端の下面側には一定肉厚寸法の磁石を取付けたものとなし、タクシーの屋根上面を上方に向かって一定の間隙下で車巾間を跨ぐ状態で脱着自在に止着させたことを特徴とするタクシー広告の表示器。
【請求項２】
長方形箱体の前面側内部へ電光掲示板を内蔵させ、「迎車」「空車」「脅迫されています。助けてください」等の防犯掲示、その他の簡単な宣伝、広告などを表示させるものとなしたことを特徴とする請求項１記載に於けるタクシーの広告表示器。
【請求項３】
取付け基板の下面に取付ける磁石は、内径を凡そ２ｃｍ〜３ｃｍ、外径を凡そ６ｃｍ〜８ｃｍ、肉厚寸法を凡そ１ｃｍ〜２ｃｍの中空リング体となし、長方形箱体をタクシーの屋根上面で高さ方向へ１．５ｃｍ〜３ｃｍの隙間が形成されるように支持されるものとなしたことを特徴とする請求項１又は２記載に於けるタクシーの広告表示器。
【請求項４】
取付け基板下面と磁石との間に肉厚を凡そ２ｍｍ〜３ｍｍ程度となしたゴムパッキンを介在させたものとなしてあることを特徴とする請求項１，２又は３記載に於けるタクシーの広告表示器。
【発明の詳細な説明】
【０００１】
【発明の属する技術分野】
本発明はタクシーの屋根上面へ取付けて使用する広告表示器に関する。
【０００２】
【従来の技術】
タクシーの屋根上面には専ら会社や個人を区別する広告ボックスが取付けられている。而して、従来の上記ボックスは屋根上面に対し、ボルトナットや接着剤などの使用で密着状態に取付けられるものとなしてある。
【０００３】
【特許文献１】
特開２００１−８０４１３
【０００４】
【発明が解決しようとする課題】
上記の広告表示器はタクシーの屋根上面へボルトナットや接着剤などにより密着状態に取付けるのであり、前者では屋根面に対する別途加工が必要であり、且つその取外しには時間を要する。後者は取付けが容易であるが、取外し不可能であったり、且つ不測に脱落する問題がある。加えて屋根上面には高速走行中、可成りの風圧がかかることから、器具の破損を含む保守点検問題や経費加算の問題がある。
【０００５】
【課題を解決するための手段】
本発明は上記問題点を解決した広告表示器を提供せんとするものであり、それに加えて屋根上の該表示器を単に会社や個人別の会社名表示にとどまらず、「迎車」「空車」「実車」は勿論のこと、「脅迫されています。助けてください」などの防犯掲示、その他簡単な宣伝、広告などの文字表示を可能ならしめるのであり、その具体的構成は横長に形成した長方形箱体を支持する支持基台を、支持基板と取付け基板で構成し、取付け基板は支持基板の左右各側端付近箇所に対し、これと直交状態に設けると共に各取付け基板の前端と後端の下面側には一定肉厚寸法の磁石を取付けたものとなし、タクシーの屋根上面を上方に向かって一定の間隙下で車巾間を跨ぐ状態で脱着自在に止着させる。
このさい、支持板下面に取付ける磁石は、内径を凡そ２ｃｍ〜３ｃｍ、外径を凡そ６ｃｍ〜８ｃｍ、肉厚寸法を凡そ１ｃｍ〜２ｃｍの中空リング体となし、長方形箱体をタクシーの屋上面で高さ方向へ１．５ｃｍ〜３ｃｍの隙間が形成されるように支持されたものとなすのであり、且つ長方形箱体はその前面側内部に対し電光掲示板を内蔵させて、「迎車」「空車」「脅迫されています。助けてください」等の防犯掲示、その他の簡単な宣伝、広告などを表示させるものとなすのである。
【０００６】
【発明の実施の形態】
図１は本発明器具を取付けたタクシーの正面図、図２は広告表示器の全体斜視図、図３はそのカバーを取除いた状態の部分斜視図、図４は図３のＸ−Ｘ線切断部分拡大図である。
上記に於ける本発明に係るタクシーの広告表示器１は、高さ寸法Ｈが凡そ１０ｃｍ〜２０ｃｍ、奥行きＷが凡そ１５ｃｍ〜３０ｃｍ、横巾寸法Ｌが凡そ５０ｃｍ〜１２０ｃｍの大きさとなされるのであり、上記寸法は従来寸法のものより２割〜５割増しとなされる。これは本発明の広告表示器が単に会社名や個人名を表示するだけでなく、将又「迎車」「空車」「実車」などの固定文字だけでなく、「脅迫されています。助けてください」「台風警報発令中」の如く、危険や警戒情報などの特殊情報や短い文章（凡そ１５文字程度のもの）を電光表示可能にするためである。
【０００７】
次に本発明では上記広告表示器をタクシー屋根に取付ける取付台２の構成に特徴がある。即ちその取付台２は箱体の支持基板２ａと、該支持基板下面を直交する前後方向で支持してなる取付け基板２ｂとから構成するのであり、且つ取付け基板２ｂの前後端縁箇所には一定大きさと肉厚寸法の磁石３が取付けてある。
ここに、磁石３は内径を凡そ２ｃｍ〜３ｃｍ程度、外径を凡そ６ｃｍ〜８ｃｍ程度、肉厚寸法は凡そ１ｃｍ〜２ｃｍ程度となした中空のリング体である。４はその外周面を被覆する椀状の金属ケース、５は該金属ケース４と取付け基板２ｂ下面との間に介在させてなるゴムパッキン、６及び７はこれらを一体的に取付けるためのボルト及びナットである。上記で取付け基板２ｂと支持基板２ａとは溶接により一体化させても良いが、別途にボルト及びナットの使用で脱着自在の構成となすことができる。
【０００８】
上記図示例では支持基板２ａの左右両端箇所へ取付けた状態のものを示したが、支持基板２ａの長さの長いものでは中央箇所にも同様構成のものを取付けるようになしても良い。
而して、上記本発明の取付台２は磁石３の磁性力によりタクシー屋根ｍ上面に対し、その車巾を跨ぐ状態に取付けられるのであり、そのさい屋根上面と支持板２ａとの間には凡そ１．５ｃｍ〜３ｃｍ程度の隙間ｓが形成されるようになされる。このことは後述する走行中に於ける該表示器の直接的受ける風圧が、該隙間ｓを介して下面側から逃すことのできることから、空気抵抗の低減化が図れるものとなるのである。
【０００９】
９は箱体の支持板２ａへの取付け用ボルト孔、１０は支持板２ａ上へセットした電光掲示板であり、該電光掲示板は図示しない配線により運転手席に設置する操作盤の操作で表示画面１０ａ上に適宜必要なメッセージの表示が行われるようになさしめるのである。メッセージは会社名、個人名や、「空車」「迎車」「実車」などの予め定められたパターンのものをパソコンに登録しておき、これをリターンキー操作で適宜行わしめる外に随時パソコン操作でリアルタイムな情報の提供表示も可能にするのである。即ち、該表示には「只今、大雨警報発令中」「明日の天気、午前中雨午後は曇り」などの一般的な情報提供の外に、催物の広告宣伝、その他「脅迫されています。助けてください」などの危険情報など多種である。上記に於ける電光掲示板の文字サイズは凡そ６０ｍｍ〜１００ｍｍ程度のものとなされるのである。
【００１０】
取付け基板２ｂに於いて下面側の磁石３との間に介在させたゴムパッキン５は少なくとも２ｍｍ〜３ｍｍ程度の肉厚を備えたものとなすのであって、これはゴムパッキン５の肉厚による弾性で支持板２ａ及び該支持板２ａ上の箱体１が、タクシー屋根ｍ面の曲面などに関係なく、円滑な密着した止着状態が得られるようにする上で著効がある。
なお、本発明では取付け支持板２ｂがタクシー屋根面と密着状態に止着されるものとならない点で従来装置と異なるのであり、即ち少なくとも２ｃｍ〜３ｃｍ程度の隙間ｓ（５ｃｍ程度でも差支えない）が形成されていることにより、該広告表示器に対する走行中の風圧抵抗が激減されるものとなる。本発明者らの実験結果によれば高速道路に於ける制限一杯の走行で、その止着状態には何ら影響がなく微動だにするものとならなかった。
【００１１】
【発明の効果】
本発明は以上の通り構成するものであって、即ちタクシーの屋根上面に対し、単にタクシーの所属会社名や個人名を表示するだけでなく、特定な大きさの広告表示器を取付けるものとなすのであり、該広告表示器は電光掲示板を内蔵させて特定の文字情報や広告宣伝情報或いは危険や警戒情報などの表示も行えるようにして、手短か且つ即刻な情報伝達が図られるようになすのである。
而して、本発明の広告表示器はタクシーの屋根面に於ける外部から見え易い位置へ簡便に止着させることのできるものであり、このさい屋根板面に対し取付け用の加工作業を何ら必要としたりすることがないので、屋根板を傷付けたり又その取付け取外しなどに時間や手間の余り掛からないものとなるのである。なお、ＮＴＴのポケットベルの電波で送られてくるニュースなどの情報をキャッチして表示することも可能となり、動く広告媒体としてのリアルな情報提供のサービル媒体の役も奏せしめるものである。
【図面の簡単な説明】
【図１】本発明器具を取付けたタクシーの正面図である。
【図２】広告表示器の全体斜視図である。
【図３】カバーを取除いた状態の部分斜視図である。
【図４】図３のＸ−Ｘ線切断部分拡大図である。
【符号の説明】
１      広告表示器
２      取付台
３      磁石
４      金属ケース
５      磁石
６      ボルト
７      ナット
１０    電光掲示板
【図１】
2004333787.tif 000003
【図２】
2004333787.tif 000004
【図３】
2004333787.tif 000005
【図４】
2004333787.tif 000006